(57)【特許請求の範囲】
【請求項１】
上下に延びる柱材と、該柱材に支持されて浴室壁面を構成する壁パネルと、を備えた浴室ユニットに機能部品を取り付けるための機能部品の取付構造であって、
前記浴室壁面の一部に形成された壁開口部と、
前記柱材に固定されて前記機能部品を支持する支持部材と、を備え、
前記壁開口部の内周辺を構成する前記壁パネルの端縁と、前記支持部材と、が互いに離隔されていることを特徴とする機能部品の取付構造。
【請求項２】
前記支持部材は、前記壁開口部の上辺及び下辺の各々に沿って設けられる上下一対の横材を有し、
前記一対の横材は、それぞれ前記壁パネルの面直交方向に延びる見込み面部を有し、該見込み面部が前記壁パネルの端縁と対向して設けられていることを特徴とする請求項１に記載の機能部品の取付構造。
【請求項３】
前記横材は、前記見込み面部に連続して折れ曲がり前記壁パネルの裏面に沿って延びる延出面部を有して形成されていることを特徴とする請求項２に記載の機能部品の取付構造。
【請求項４】
前記支持部材及び前記壁パネルの浴室側には、該支持部材と該壁パネルとに跨る被覆部材が設けられていることを特徴とする請求項１〜３のいずれか一項に記載の機能部品の取付構造。
【請求項５】
請求項１〜４のいずれか一項に記載の機能部品の取付構造によって前記機能部品が前記浴室ユニットに取り付けられたことを特徴とする浴室。
【発明の詳細な説明】
【技術分野】
【０００１】
本発明は、浴室ユニットに機能部品を取り付けるための機能部品の取付構造、及び、この取付構造によって機能部品が浴室ユニット取り付けられた浴室に関する。
【背景技術】
【０００２】
従来、浴室の壁にテレビ受像機等の機能部品を取り付けるための構造が提案されている（例えば、特許文献１、２参照）。特許文献１に記載された浴室用テレビケースの構造は、浴室の壁パネルに埋め込まれるケースと、このケースの浴室内側を覆うハーフミラーと、を備え、ケースには、薄型テレビを収納する収納凹部と、壁パネルの浴室内面に当接するフランジ片と、が形成されている。このケースは、浴室内側から壁パネルの開口部に挿入され、フランジ片が壁パネルの開口部端縁に係止されることで、壁パネルに支持されるようになっている。
【０００３】
また、特許文献２に記載された浴室におけるテレビ等の設置構造は、テレビを収納する収納箱体と、この収納箱体の浴室側を覆う透明扉体と、収納箱体を浴室の壁に固定する固定金具と、を備えて構成されている。この収納箱体の浴室側には、壁の浴室内面に沿って延びる鍔部が形成されており、この鍔部と浴室外面からの固定金具とで壁を挟み込むとともに、固定金具をビス止めすることで収納箱体が壁に固定されるようになっている。
【先行技術文献】
【特許文献】
【０００４】
【特許文献１】特開２００１−３２７４２８号公報
【特許文献２】特開２００１−２５２２１２号公報
【発明の概要】
【発明が解決しようとする課題】
【０００５】
しかしながら、特許文献１、２に記載されたような従来の取付構造は、浴室の壁（又は壁パネル）に対してケース等を直接固定するものであり、ケースや収容物を含めた重量物を支持するためには、壁に相応の強度が求められることとなる。ところが、ユニットバス等の浴室ユニットの壁は、樹脂製パネルや、鋼板パネル、タイルパネル等の壁パネルを用いて構成されるのが一般的であり、このような壁パネルに重量物を支持させようとすると、補強を設けたり壁厚を大きくしたり等の大幅な改造が必要となる。さらに、壁パネルに重量物を直接支持させると、重量物からの振動が壁パネルに伝達され、壁パネルの音鳴りや破損の原因となる可能性がある。
【０００６】
本発明の目的は、壁パネルの改造を不要としてコストが抑制できるとともに、壁パネルの振動や音鳴りを抑制して破損を防止することができる機能部品の取付構造、及び、浴室を提供することにある。
【課題を解決するための手段】
【０００７】
本発明の機能部品の取付構造は、上下に延びる柱材と、該柱材に支持されて浴室壁面を構成する壁パネルと、を備えた浴室ユニットに機能部品を取り付けるための機能部品の取付構造であって、前記浴室壁面の一部に形成された壁開口部と、前記柱材に固定されて前記機能部品を支持する支持部材と、を備え、前記壁開口部の内周辺を構成する前記壁パネルの端縁と、前記支持部材と、が互いに離隔されていることを特徴とする。
【０００８】
以上のような本発明によれば、柱材に固定される支持部材によって機能部品を支持することで、壁パネルに機能部品の重量が作用しないようにできるので、壁パネルに対する補強等の大幅な改造が不要にできて、浴室ユニットの製造コストを抑制することができる。さらに、壁パネルの端縁と支持部材とが互いに離隔して設けられているので、機能部品からの振動が壁パネルに伝達しないようにでき、壁パネルの振動や音鳴り、捩じれや撓み等を抑制して壁パネルの破損を防止することができる。
【０００９】
この際、本発明の機能部品の取付構造では、前記支持部材は、前記壁開口部の上辺及び下辺の各々に沿って設けられる上下一対の横材を有し、前記一対の横材は、それぞれ前記壁パネルの面直交方向に延びる見込み面部を有し、該見込み面部が前記壁パネルの端縁と対向して設けられていることが好ましい。
【００１０】
この構成によれば、支持部材が上下一対の横材を有し、各横材の見込み面部が壁パネルの端縁と対向して設けられていることで、上下一対の横材の各見込み面部と、上下の壁パネルの端縁（壁開口部の上側に位置する壁パネルの下端縁、及び、壁開口部の下側に位置する壁パネルの上端縁）と、が互いに離隔して設けられることとなり、支持部材と上下の壁パネルとの縁を切ることができる。従って、機能部品から壁パネルへの振動の伝達をより効果的に抑制することができる。
【００１１】
さらに、本発明の機能部品の取付構造では、前記横材は、前記見込み面部に連続して折れ曲がり前記壁パネルの裏面に沿って延びる延出面部を有して形成されていることが好ましい。
【００１２】
この構成によれば、横材が壁パネルの裏面に沿って延びる延出面部を有していることで、壁パネルに対して浴室内部から面外方向の力が作用した場合に、壁開口部側の端縁部分の変形を延出面部によって規制することができる。このように壁パネルの面外方向への変形を横材の延出面部によって規制することで、壁開口部を形成した壁パネルの剛性低下を防ぎ、壁面の機能性を維持させることができる。
【００１３】
また、本発明の機能部品の取付構造では、前記支持部材及び前記壁パネルの浴室側には、該支持部材と該壁パネルとに跨る被覆部材が設けられていることが好ましい。
【００１４】
この構成によれば、支持部材と壁パネルとに跨って被覆部材が設けられているので、壁パネルの端縁や支持部材との隙間が浴室側に露出することなく、壁面の美観を維持することができる。さらに、被覆部材と壁パネルや支持部材との間に止水材を設ければ、隙間から浴室外への漏水を防止することができ、浴室ユニットの止水性を維持することができる。
【００１５】
また、本発明の浴室は、前記いずれかの機能部品の取付構造によって該機能部品が前記浴室ユニットに取り付けられたことを特徴とする。
【００１６】
このような本発明の浴室によれば、前述のように、壁パネルに対する大幅な改造が不要なので、浴室ユニットの製造コストを抑制することができるとともに、機能部品からの振動が壁パネルに伝達しないことで、壁パネルの振動や音鳴りを抑制して、壁パネルの破損を防止することができる。
【発明の効果】
【００１７】
以上のような本発明の機能部品の取付構造、及び、浴室によれば、機能部品を支持する支持部材が柱材に固定され、壁パネルに機能部品の重量が作用しないようにしたことで、壁パネルの改造を不要にしてコストを抑制することができる。さらに、壁パネルの端縁と支持部材とが互いに離隔して設けられているので、機能部品から壁パネルに振動が伝達せず、壁パネルの振動や音鳴りを抑制して壁パネルの破損を防止することができる。
【図面の簡単な説明】
【００１８】
【図１】本発明の実施形態に係る浴室の一部を示す斜視図である。
【図２】前記浴室の一部を分解して示す分解斜視図である。
【図３】前記浴室に設けられる機能部品の取付構造を示す分解斜視図である。
【図４】前記機能部品の取付構造を示す縦断面図である。
【図５】前記機能部品の取付構造を示す横断面図である。
【図６】前記機能部品の取付構造を分解して示す縦断面図である。
【図７】前記機能部品の取付構造を分解して示す横断面図である。
【図８】前記機能部品の取付構造を分解して示す横断面図である。
【図９】前記機能部品を収容する筐体構造を分解して示す縦断面図である。
【発明を実施するための形態】
【００１９】
以下、本発明の実施形態を図面に基づいて説明する。本実施形態の浴室ユニット（浴室）１は、図１、２に示すように、床躯体上に束等を介して支持された浴槽２及び洗い場床（防水パン）３と、浴槽２の端縁及び洗い場床３の端縁から立ち上がって設けられた立上部４と、立上部４から立設された複数の柱材としてのポスト５と、隣り合うポスト５間に亘って支持されて浴室内壁面を構成する複数の壁パネル６と、複数のポスト５の頂部を連結して設けられたつなぎ梁７と、つなぎ梁７に支持される図示しない天井パネルと、図示しない浴室出入口や窓等と、を備えて構成されている。また、洗い場の壁面には、鏡８が取り付けられ、その他に、図示しないカウンターや棚、照明器具、水栓金具、カラン、シャワー等が設けられる。
【００２０】
なお、以下では、壁パネル６の面直交方向を見込方向と記し、この見込方向と直交する面内方向を見付方向と記す場合があり、特に、ポスト５や、後述する横材１２，１３、縦材１４，１５等の長尺部材においては、その材軸方向（長手方向）及び見込方向に直交する方向を見付方向として記すことがある。
【００２１】
ポスト５は、溶融亜鉛めっき鋼板などから曲げ加工及び切断加工によって製作され、断面コ字形や断面Ｃ字形に形成されている。このポスト５は、その下端部が浴槽２や洗い場床３の立上部４にブラケット等で固定され、上端部がつなぎ梁７によって隣り合うポスト５の上端部と連結されている。ポスト５は、浴室ユニット１の角部に設けられるコーナーポスト５Ａと、隣り合う壁パネル６が平面的に連続した位置に設けられる平ポスト５Ｂと、を有して構成されている。
【００２２】
壁パネル６は、例えば、鋼板パネルで構成されている。鋼板パネルは、浴室内部側に適宜な化粧面を有する鋼板６Ａ（図５参照）と、この鋼板６Ａの裏面に貼付される石膏ボードや発泡ウレタン等の断熱材６Ｂと、を有し、取付部位に応じた適宜な幅寸法及び高さ寸法に形成されている。鋼板パネルの鋼板６Ａには、その左右両側の端縁から見込方向裏面側に突出する突出片６Ｃと、この突出片６Ｃの先端から見付方向内側かつ浴室内部側に折り返された被係止部６Ｄとが形成されている。この鋼板パネルは、被係止部６Ｄがポスト５の係止片５Ｃに係止されることで、左右のポスト５間に亘って取り付けられている。
【００２３】
複数の壁パネル６のうち、浴槽２の一方側の短辺２Ａに対応する位置の壁パネル６は、上側の上壁パネル６１と下側の下壁パネル６２とに分割され、これらの間に壁開口部６３が形成されている。即ち、壁開口部６３は、壁パネル６１，６２が設けられていない浴室壁面の一部に形成されている。この壁開口部６３は、矩形状の内周辺を有し、４つの内周辺のうち、上辺は上壁パネル６１の下端縁６４によって構成され、下辺は下壁パネル６２の上端縁６５によって構成され、左右の縦辺は浴槽２の短辺２Ａ両端部から立設された左右一対のポスト５（コーナーポスト５Ａ及び平ポスト５Ｂ）によって構成されている。
【００２４】
以上の浴室ユニット１には、図３にも示すように、機能部品としての映像表示部Ｔを浴室壁に取り付けるための機能部品の取付構造１０が設けられている。この取付構造１０は、前記壁開口部６３と、壁開口部６３の左右のポスト５Ａ，５Ｂに固定されて映像表示部Ｔを支持する支持部材としての支持フレーム１１と、支持フレーム１１よりも浴室内側に設けられる化粧フレーム２０と、映像表示部Ｔを収容して支持フレーム１１に固定される筐体３０と、を備えて構成されている。映像表示部Ｔは、映像表示を行う電子機器であり、液晶表示部、有機ＥＬ表示部、ＬＥＤ表示部等の映像表示部を持つ機器であり、テレビ機器として、図示しない電源装置やテレビアンテナ、チューナー、録画装置、スピーカー等に有線あるいは無線によって接続されてもよい。
【００２５】
支持フレーム１１は、壁開口部６３の上辺である上壁パネル６１の下端縁６４に沿った上側の横材１２と、壁開口部６３の下辺である下壁パネル６２の上端縁６５に沿った下側の横材１３と、壁開口部６３の左右の縦辺である左右一対のポスト５Ａ，５Ｂにそれぞれ沿った一対の縦材１４，１５と、を四周枠組みして構成されている。これらの横材１２，１３及び縦材１４，１５は、それぞれステンレス鋼板等の金属材料を曲げ加工して形成されており、支持フレーム１１の四隅において横材１２，１３及び縦材１４，１５の端部同士が溶接によって接合されて矩形枠状に一体化されている。また、支持フレーム１１における縦材１４，１５の浴室側には、後述する金属プレート１６，１７が設けられ、縦材１５と平ポスト５Ｂとの間には、位置決め部材１８が設けられている。
【００２６】
化粧フレーム２０は、支持フレーム１１及び筐体３０の浴室側に設けられる矩形枠状の被覆部材であって、上下左右の四周に設けられるアルミ形材製の化粧材２１と、これらの化粧材２１を四隅で接続する図示しない接続部材と、を有して構成されている。なお、化粧材２１は、アルミ形材製に限らず、他の金属製でもよいし、樹脂製やガラス製などでもよく、その材質は特に限定されない。この化粧フレーム２０は、係止部材２２によって筐体３０の前面側に取り付けられるようになっている。
【００２７】
筐体３０は、全体箱状に形成されるとともに映像表示部Ｔの前面側に開口３０Ａを有した筐体本体３１と、この筐体本体３１の内部側から開口３０Ａを覆う透光性を有したカバー部材としての透明板３２と、を有して構成されている。筐体本体３１は、支持フレーム１１の内側に挿通可能で矩形状に連続する外周辺３３（上辺３３Ａ、下辺３３Ｂ、左側の縦辺３３Ｃ、及び右側の縦辺３３Ｄ）を有するとともに、この四方の外周辺３３には、それぞれ見付方向外方に延出する延出片３４が形成されている。これらの延出片３４は、ビス３５によって支持フレーム１１の横材１２，１３及び縦材１４，１５に固定され、これにより筐体３０が設置対象部としての壁開口部６３に固定されるようになっている。
【００２８】
以下、図４〜８も参照して支持フレーム１１の詳細構造及び浴室ユニット１への取付構造を詳しく説明する。ここで、図６は、図４における筐体３０の下辺３３Ｂ近傍を拡大して示す分解断面図である。この下辺３３Ｂ近傍における取付構造と、筐体３０の上辺３３Ａ近傍における取付構造と、が上下対称であるため、上辺３３Ａ近傍における取付構造に係る符号を図６中の括弧内に示すこととする。また、図７は、図５における筐体３０の左側の縦辺３３Ｃ近傍を拡大して示す分解断面図であり、図８は、図５における筐体３０の右側の縦辺３３Ｄ近傍を拡大して示す分解断面図である。
【００２９】
支持フレーム１１の上側の横材１２は、図４、６にも示すように、見込方向（壁パネル６の面直交方向）に延びる見込み面部１２１と、この見込み面部１２１の浴室内部側端部から下方に折れ曲がって延びる第一延出面部１２２と、見込み面部１２１の浴室外部側端部から上方に折れ曲がって延びる第二延出面部（延出面部）１２３と、を有して断面クランク状に形成されている。見込み面部１２１は、上壁パネル６１の下端縁６４から離隔して下端縁６４に対向するように設けられている。第一延出面部１２２は、上壁パネル６１の浴室内壁面と略平坦に設けられ、ビス孔１２４にビス３５が螺合されることで筐体３０の延出片３４が固定されるようになっている。第二延出面部１２３は、上壁パネル６１の裏面に沿って延び、上壁パネル６１を背面側から係止可能に設けられている。
【００３０】
下側の横材１３は、図４、６にも示すように、上側の横材１２と略同様に、見込方向に延びる見込み面部１３１と、この見込み面部１３１の浴室内部側端部から上方に折れ曲がって延びる第一延出面部１３２と、見込み面部１３１の浴室外部側端部から下方に折れ曲がって延びる第二延出面部（延出面部）１３３と、を有して断面クランク状に形成されている。見込み面部１３１は、下壁パネル６２の上端縁６５から離隔して上端縁６５に対向するように設けられている。第一延出面部１３２は、下壁パネル６２の浴室内壁面と略平坦に設けられ、ビス孔１３４にビス３５が螺合されることで筐体３０の延出片３４が固定されるようになっている。第二延出面部１３３は、下壁パネル６２の裏面に沿って延び、下壁パネル６２を背面側から係止可能に設けられている。
【００３１】
支持フレーム１１の左右一方（浴室内部側から見て左側）の縦材１４は、図５、７にも示すように、コーナーポスト５Ａに沿って見込方向に延びる見込み面部１４１と、この見込み面部１４１の浴室内部側端部から見付方向内方（壁開口部６３の内側）に折れ曲がって延びる延出面部１４２と、を有して断面Ｌ字状に形成されている。この縦材１４は、見込み面部１４１を貫通する固着具としてのビス１４３によってコーナーポスト５Ａに固定されている。延出面部１４２は、横材１２，１３の第一延出面部１２２，１３２と略平坦に設けられ、ビス孔１４４にビス３５が螺合されることで筐体３０の延出片３４が固定されるようになっている。
【００３２】
支持フレーム１１の左右他方（浴室内部側から見て右側）の縦材１５は、図５、８にも示すように、平ポスト５Ｂに沿って見込方向に延びる見込み面部１５１と、この見込み面部１５１の浴室内部側端部から見付方向内方（壁開口部６３の内側）に折れ曲がって延びる延出面部１５２と、を有して断面Ｌ字状に形成されている。この縦材１５は、見込み面部１５１を貫通する固着具としてのビス１５３によって平ポスト５Ｂに固定されている。延出面部１５２は、横材１２，１３の第一延出面部１２２，１３２と平坦に設けられ、ビス孔１５４にビス３５が螺合されることで筐体３０の延出片３４が固定されるようになっている。
【００３３】
金属プレート１６は、支持フレーム１１の縦材１４に沿って長尺状に形成されるとともに、図５、７にも示すように、縦材１４の延出面部１４２に沿って見付方向に延びる第一面部１６１と、この第一面部１６１の見付方向外端部から見込方向の浴室外部側に延びる第二面部１６２と、この第二面部１６２の浴室外部側端部から外方に折れ曲がって延びる位置決め片１６３と、を有して断面クランク状に形成されている。第一面部１６１は、縦材１４の延出面部１４２と筐体３０の延出片３４との間に挟持され、第二面部１６２は、縦材１４の見込み面部１４１とコーナーポスト５Ａとの間に挟持されている。位置決め片１６３は、コーナーポスト５Ａの浴室外部側の側面に当接することで、金属プレート１６が見込方向に位置決めされる。このように金属プレート１６をコーナーポスト５Ａに対して位置決めした状態において、縦材１４及び金属プレート１６にビス１４３を貫通させ、このビス１４３をコーナーポスト５Ａに螺合させることで、支持フレーム１１がコーナーポスト５Ａに対して所定の見込位置に固定できるようになっている。
【００３４】
金属プレート１７は、支持フレーム１１の縦材１５に沿って長尺状に形成されるとともに、図５、８にも示すように、縦材１５の延出面部１５２に沿って見付方向に延びる第一面部１７１と、この第一面部１７１の見付方向外端部から見込方向の浴室外部側に延びる第二面部１７２と、この第二面部１７２の先端から見付方向内側かつ浴室内部側に折り返された被係止部１７３と、を有して形成されている。第一面部１７１は、縦材１５の延出面部１５２と筐体３０の延出片３４との間に挟持される。第二面部１７２及び被係止部１７３は、隣り合う壁パネル６の突出片６Ｃ及び被係止部６Ｄと同様の納まりによって平ポスト５Ｂの係止片５Ｃに係止される。これによって金属プレート１７及び壁パネル６の平ポスト５Ｂに対する係止が維持されるようになっている。
【００３５】
位置決め部材１８は、支持フレーム１１の縦材１５に沿った複数個所（本実施形態では３箇所）に設けられるピース部材であって、図５、８にも示すように、見込方向に延びる見込面部１８１と、この見込面部１８１の浴室外部側端部から見付方向外方に折れ曲がって延びる位置決め片１８２と、を有して断面Ｌ字状に形成されている。見込面部１８１は、縦材１５の見込み面部１５１と平ポスト５Ｂとの間に挟持されている。位置決め片１８２は、平ポスト５Ｂの浴室外部側の側面に当接することで、位置決め部材１８が見込方向に位置決めされる。このように位置決め部材１８を平ポスト５Ｂに対して位置決めした状態において、縦材１５及び位置決め部材１８にビス１５３を貫通させ、このビス１５３を平ポスト５Ｂに螺合させることで、支持フレーム１１が平ポスト５Ｂに対して所定の見込位置に固定できるようになっている。
【００３６】
以上のように、左側の縦材１４が金属プレート１６によってコーナーポスト５Ａに対して位置決めされるとともに、見込み面部１４１を貫通するビス１４３によってコーナーポスト５Ａに固定され、右側の縦材１５が位置決め部材１８によって平ポスト５Ｂに対して位置決めされるとともに、見込み面部１５１を貫通するビス１５３によって平ポスト５Ｂに固定されることで、支持フレーム１１は、左右のポスト５に亘って固定される。このように支持フレーム１１が左右のポスト５に亘って壁開口部６３に固定されることで、上壁パネル６１の下端縁６４に沿って上側の横材１２が支持され、下壁パネル６２の上端縁６５に沿って下側の横材１３が支持される。この際、横材１２の見込み面部１２１と上壁パネル６１の下端縁６４とは互いに離隔して設けられ、横材１３の見込み面部１３１と下壁パネル６２の上端縁６５とは互いに離隔して設けられることで、支持フレーム１１からの荷重が壁パネル６に伝達されないようになっている。
【００３７】
次に、図６〜８も参照して、化粧フレーム２０の詳細構造及び取付構造について説明する。化粧フレーム２０の四周に設けられる化粧材２１は、各々同一断面を有して形成され、浴室内部側の見えがかり面となる見付け面部２１１と、この見付け面部２１１の見付方向外端縁から見込方向に延びる見込み面部２１２と、見付け面部２１１の背面と見込み面部２１２の先端を連結する補強面部２１３と、見付け面部２１１の背面から見込方向に突出した被係止面部２１４と、を有して形成されている。また、見付け面部２１１の見付方向内端縁には、背面側に突出した第一突条２１５が設けられ、補強面部２１３の見込方向背面側には、第二突条２１６が設けられている。
【００３８】
係止部材２２は、金属製の板バネ材から曲げ加工により成形されるピース部材であって、筐体３０の上辺３３Ａ及び下辺３３Ｂにおける延出片３４にそれぞれ３箇所ずつ設けられ、筐体３０の左右の縦辺３３Ｃ，３３Ｄにおける延出片３４にそれぞれ２箇所ずつ設けられている。係止部材２２は、ビス３５によって延出片３４に固定される固定片部２２１と、固定片部２２１から浴室内部側に屈曲状に延びる係止片部２２２と、を有して形成されている。このような係止部材２２は、固定片部２２１を貫通するビス３５によって筐体３０の延出片３４に固定されるとともに、係止片部２２２によって化粧材２１の被係止面部２１４を係止することで、筐体３０に対して化粧フレーム２０を係脱自在に支持するように構成されている。
【００３９】
このように筐体３０の浴室内部側（前面側）に取り付けられた化粧フレーム２０において、第一突条２１５は、その先端が筐体３０の透明板３２に近接して設けられ、この第一突条２１５の先端と透明板３２との間は、シリコンシール２３によって止水処理が施されている。また、第二突条２１６は、上下辺において上壁パネル６１及び下壁パネル６２の浴室内面に当接又は近接し、左辺において金属プレート１６の第一面部１６１に当接又は近接し、右辺において金属プレート１７の第一面部１７１に当接又は近接して設けられている。このような第二突条２１６と、上壁パネル６１、下壁パネル６２、及び金属プレート１６，１７との間には、必要に応じてシール材が設けられていてもよい。
【００４０】
次に、図９も参照して、筐体３０の詳細構造及び取付構造について説明する。筐体本体３１は、開口３０Ａが形成されて映像表示部Ｔの前面側に設けられる前枠体３６と、映像表示部Ｔの背面側に設けられて映像表示部Ｔが固定される後枠体３７と、を互いに連結して構成されている。前枠体３６及び後枠体３７は、それぞれステンレス鋼板等の金属板材にプレス加工等を施して形成されている。透明板３２は、板ガラスから形成され、その前面あるいは後面には反射防止コーティング等の適宜な表面処理が施されている。
【００４１】
前枠体３６は、全体矩形枠状に形成されるとともに、筐体３０の外周辺３３の前側部分を構成する前見込面部３６１と、この前見込面部３６１の前端縁から見付方向内側に延びて開口３０Ａの周辺部を構成する開口周辺部３６２と、前見込面部３６１の後端縁から見付方向外側に延びる前延出片ｇと、を有して形成されている。後枠体３７は、前方側が開口した全体箱状に形成されるとともに、筐体３０の外周辺３３の後側部分を構成する後見込面部３７１と、この後見込面部３７１の後端縁に連続した板状の背面部３７２と、後見込面部３７１の前端縁から見付方向外側に延びる後延出片３７３と、を有して形成されている。後枠体３７の背面部３７２には、映像表示部Ｔを固定するための複数の背面固定部３７４が設けられている。
【００４２】
筐体３０の延出片３４は、前延出片３６３と、後延出片３７３と、これらの間に介装される止水材３８と、が前後方向に重ねられるとともに、周方向に複数設けられるビス３９によって固着されて構成されている。このように構成される延出片３４は、筐体３０の最前部である開口周辺部３６２から前見込面部３６１の前後寸法分だけ後退するとともに、筐体３０の最後部である背面部３７２から後見込面部３７１の前後寸法分だけ前進した位置に設けられ、すなわち、筐体３０の外周辺３３における前後方向の中間部から外方に突出して形成されている。また、延出片３４（前延出片３６３及び後延出片３７３）には、ビス３９が貫通するとともに螺合する貫通孔３４１と、ビス３５を挿通させるための複数の挿通孔３４２（図６〜８参照）と、が形成されている。さらに、延出片３４と上壁パネル６１、下壁パネル６２、及び金属プレート１６，１７との間には、シール材３４Ａが設けられている。
【００４３】
筐体３０の内部における上辺３３Ａ、下辺３３Ｂ、左右の縦辺３３Ｃ，３３Ｄの各辺に沿った複数個所には、透明板３２を開口周辺部３６２に向かって押圧する押圧手段４０が設けられている。この押圧手段４０は、後枠体３７側に設けられる金属製の押圧部材４１と、この押圧部材４１と透明板３２との間に介装される弾性部材４２と、を有して構成されている。押圧部材４１は、その後端部を後枠体３７の背面部３７２に当接させ、前端部で弾性部材４２を介して透明板３２を前方に向かって押圧するように構成されている。また、透明板３２の前面と開口周辺部３６２との間には止水部材４３が四周連続して介装され、透明板３２の四周端縁と前見込面部３６１の内面との間には、透明板３２の面内移動を規制する規制部材４４が介装されている。
【００４４】
このように透明板３２は、押圧手段４０によって前方に押圧されるとともに、開口周辺部３６２との間に止水部材４３が介装されていることで、筐体３０の内部において弾性支持され、前後方向への移動が規制されている。さらに、透明板３２は、規制部材４４によって面内方向への移動が規制されているので、筐体本体３１に安定して支持されるとともに、外部からの衝撃が伝達しにくくなっている。また、映像表示部Ｔは、背面固定部３７４によって後枠体３７に固定されているので、映像表示部Ｔと透明板３２とを一体化する必要がなく、互いに離隔させることができるので、外部からの振動や衝撃による映像表示部Ｔ及び透明板３２の破損が防止できるようになっている。
【００４５】
筐体３０の組立手順としては、先ず、背面固定部３７４によって後枠体３７に映像表示部Ｔを固定するとともに、弾性部材４２を貼り付けた押圧部材４１を後枠体３７にセットしておく。一方、前枠体３６において、前見込面部３６１の内面に規制部材４４をセットするとともに、前面外周に沿って止水部材４３を貼り付けた透明板３２を開口周辺部３６２にセットしておく。このような前枠体３６及び後枠体３７において、前延出片３６３と後延出片３７３との間に止水材３８を挟み込むとともに、これらの前延出片３６３と後延出片３７３とをビス３９によって固着することで、映像表示部Ｔ及び透明板３２を筐体本体３１に内蔵した筐体３０が組み立てられる。以上のように組み立てられた筐体３０は、映像表示部Ｔ及び透明板３２を内蔵した状態で浴室ユニット１の施工現場まで搬送され、壁開口部６３の支持フレーム１１に固定される。
【００４６】
続いて、映像表示部Ｔの浴室ユニット１への取り付け手順について説明する。
【００４７】
まず、下壁パネル６２を左右のポスト５Ａ，５Ｂ間に近付け、各ポスト５Ａ，５Ｂの係止片５Ｃにより下壁パネル６２の被係止部６Ｄを係止させて、下壁パネル６２を左右のポスト５間に取り付ける。図示しない治具を下壁パネル６２の上端縁６５に載置し、治具の上に支持フレーム１１の横材１３の見込み面部１３１を載置する。このように下壁パネル６２と支持フレーム１１の横材１３との間に治具を挟んだ状態で、左側の縦材１４が金属プレート１６によってコーナーポスト５Ａに対して位置決めされるとともに、見込み面部１４１を貫通するビス１４３によってコーナーポスト５Ａに固定され、右側の縦材１５が位置決め部材１８によって平ポスト５Ｂに対して位置決めされるとともに、見込み面部１５１を貫通するビス１５３によって平ポスト５Ｂに固定されることで、支持フレーム１１は、左右のポスト５Ａ，５Ｂに亘って固定される。
【００４８】
この後、上壁パネル６１を左右のポスト５Ａ，５Ｂ間に近付け、ポスト５の係止片５Ｃにより上壁パネル６１の被係止部６Ｄを係止させて、上壁パネル６１を左右のポスト５Ａ，５Ｂ間に取り付ける。これにより、上壁パネル６１と下壁パネル６２との間に壁開口部６３が形成され、形成された壁開口部６３に、支持フレーム１１が左右のポスト５Ａ，５Ｂ間において固定される。支持フレーム１１が左右のポスト５に亘って壁開口部６３に固定されることで、上壁パネル６１の下端縁６４に沿って上側の横材１２が支持され、下壁パネル６２の上端縁６５に沿って下側の横材１３が支持される。
【００４９】
ここで、下壁パネル６２と支持フレーム１１の下側の横材１３との間に挟んだ治具を浴室内部側に引き抜く。この際、下壁パネル６２及び支持フレーム１１が、各々左右のポスト５Ａ，５Ｂの所定位置に固定されているから、下壁パネル６２と支持フレーム１１の横材１３との間に挟んだ治具を引き抜いたとしても、横材１３の見込み面部１３１と壁パネル６２の端縁６５とが、治具の上下寸法分だけ離隔して対向配置されていることとなる。また、上壁パネル６１が、左右のポスト５Ａ，５Ｂの所定位置に固定されているから、上側の横材１２の見込み面部１２１と上壁パネル６１の下端縁６４とが互いに離隔して対向配置されている。このように支持フレーム１１が左右のポスト５Ａ，５Ｂの所定位置に固定された状態では、支持フレーム１１の各横材１２，１３の第二延出面部１２３，１３３は、各壁パネル６１，６２の裏面に沿って延びている。
【００５０】
次に、支持フレーム１１に対して浴室内部側から筐体３０をセットし、その延出片３４の挿通孔３４２にビス３５を挿通し、このビス３５を横材１２，１３及び縦材１４，１５のビス孔１２４，１３４，１４４，１５４に螺合することによって、支持フレーム１１に筐体３０を固定する。
【００５１】
なお、支持フレーム１１に対して筐体３０をセットする前に、筐体３０の延出片３４にシール材３４Ａを貼り付けておくとともに、縦材１５の浴室側に金属プレート１７を接着しておくものとする。また、筐体３０の延出片３４の挿通孔３４２にビス３５を挿通する際には、このビス３５の頭部と延出片３４との間に係止部材２２を挟んでおく。このように筐体３０を支持フレーム１１に固定したら、筐体３０に取り付けられた係止部材２２の係止片部２２２に化粧材２１の被係止面部２１４を係止させることで、筐体３０に対して化粧フレーム２０を取り付け、化粧材２１の第一突条２１５と筐体３０の透明板３２との間をシリコンシール２３で止水する。以上によって、筐体３０及び筐体３０に収容された映像表示部Ｔの浴室ユニット１への取り付けが完了する。
【００５２】
上述した本実施形態によれば、左右のポスト５Ａ，５Ｂ（柱材）に固定される支持フレーム１１（支持部材）によって映像表示部Ｔ（機能部品）を支持することで、上下の壁パネル６１，６２（壁パネル）に映像表示部Ｔの重量が作用しないようにできるので、上下の壁パネル６１，６２に対する補強等の大幅な改造が不要にできて、浴室ユニット１の製造コストを抑制することができる。さらに、上下の壁パネル６１，６２の端縁６４，６５と支持フレーム１１とが互いに離隔して設けられているので、支持フレーム１１と上下の壁パネル６１，６２との縁を切ることができる。従って、映像表示部Ｔからの振動が壁パネル６１，６２に伝達しないようにでき、壁パネル６１，６２の振動や音鳴り、捩じれや撓み等を抑制して壁パネル６１，６２の破損を防止することができる。
【００５３】
また、各横材１２，１３は、見込み面部１２１，１３１に連続して折れ曲がり壁パネル６１，６２の裏面に沿って延びる延出面部１２３，１３３を有して形成されている。この構成によれば、横材１２，１３が壁パネル６１，６２の裏面に沿って延びる延出面部１２３，１３３を有していることで、壁パネル６１，６２に対して浴室内部から面外方向の力が作用した場合に、壁開口部６３側の端縁６４，６５部分の変形を延出面部１２３，１３３によって規制することができる。このように壁パネル６１，６２の面外方向への変形を横材１２，１３の延出面部１２３，１３３によって規制することで、壁開口部６３を形成した壁パネル６１，６２の剛性低下を防ぎ、壁面の機能性を維持させることができる。
【００５４】
また、支持フレーム１１（支持部材）及び壁パネル６１，６２の浴室側には、支持フレーム１１と壁パネル６１，６２とに跨る化粧フレーム２０（被覆部材）が設けられている。この構成によれば、支持フレーム１１と壁パネル６１，６２とに跨って化粧フレーム２０が設けられているので、壁パネル６１，６２の端縁６４，６５や支持フレーム１１との隙間が浴室側に露出することなく、壁面の美観を維持することができる。さらに、化粧フレーム２０と壁パネル６１，６２や支持フレーム１１との間にシール材３４Ａ（止水材）を設ければ、隙間から浴室外への漏水を防止することができ、浴室ユニット１の止水性を維持することができる。
【００５５】
なお、本発明は、前記実施形態に限定されるものではなく、本発明の目的が達成できる他の構成等を含み、以下に示すような変形等も本発明に含まれる。例えば、前記実施形態では、機能部品が映像表示部Ｔである場合を例示したが、機能部品としては、映像表示部Ｔに限らず、テレビ受像機能を備えない表示装置であってもよいし、パーソナルコンピュータやゲーム機器、音響機器、冷暖房装置、照明装置、冷蔵庫、時計などの電気機器であってもよい。さらに、機能部品としては、電気機器に限らず、収納装置や鏡（通常の鏡やハーフミラー等）などの浴室付属部品であってもよいし、水槽、絵画、彫刻などの装飾品であってもよく、その品種や品目は特に限定されない。
【００５６】
また、前記実施形態では、映像表示部Ｔ（機能部品）が筐体３０に収容された状態で浴室ユニット１に取り付けられる構成であったが、これに限らず、映像表示部Ｔが直接支持フレーム１１に固定されていてもよい。すなわち、機能部品として、防水性能を必要としないもの、あるいは機能部品そのものが防水性能を有したものである場合には、筐体３０に収容されずに浴室内部に露出して設けられていてもよい。また、機能部品を筐体３０に収容する場合であっても、この筐体３０において防水性能は必須ではなく、排水性や清掃性を有した筐体など、使用上の問題が生じない範囲で適宜な筐体を採用することは任意である。
【００５７】
また、前記実施形態としては、浴室ユニット１の壁パネル６として、鋼板パネルを例示したが、壁パネルとしては、鋼板パネルに限らず、樹脂パネルやタイルパネル、木質パネル、ガラスパネル、異種材料が積層された複合パネル等であってもよい。このように壁パネルの種別よって厚さ寸法や取付構造も異なることになるが、そのような各種条件に応じて支持フレーム１１や筐体３０の形状が変更されてもよく、このような形状や寸法を変更した構造も本発明に含まれる。また、壁パネル６の種別よって柱材としてのポスト５の形状や、壁パネル６とポスト５との納まりが異なることになるが、そのようなポスト５に対する支持フレーム１１の固定構造が変更されてもよい。
【００５８】
また、前記実施形態では、壁パネル６を上下に分割した上壁パネル６１と下壁パネル６２との間に壁開口部６３が形成され、この壁開口部６３の左右の縦辺が左右一対のポスト５によって構成される場合を例示したが、壁開口部としては、前記実施形態の形態に限らず、壁パネルの一部を取り除いて形成されたものであればよい。すなわち、壁開口部としては、１枚の壁パネルの中間部をくり抜いて形成されたものでもよいし、壁パネルの上下左右の一辺〜三辺を含む領域を切り欠いて形成されたものでもよい。
【００５９】
また、壁開口部６３としては、前記実施形態のように矩形状の開口に限らず、任意形状の開口であってもよい。この際、例えば、壁開口部が円形の開口である場合、その内周辺のうち上部及び下部を形成する円弧状の辺（上辺及び下辺）の少なくとも一方に沿って支持部材の横材が設けられていればよい。さらに、壁開口部が多角形の開口である場合、横材は、略水平に設けられるだけでなく、傾斜して設けられてもよいし、途中が屈曲して設けられてもよい。
【００６０】
また、前記実施形態では、上側の横材１２の見込み面部１２１と上壁パネル６１の下端縁６４とが互いに離隔して対向配置され、下側の横材１３の見込み面部１３１と壁パネル６２の端縁６５とが、互いに離隔して対向配置されていたが、互いに離隔して配置される部位は、上側の横材１２の見込み面部１２１と上壁パネル６１の下端縁６４のみであってもよく、下側の横材１３の見込み面部１３１と壁パネル６２の端縁６５のみであってもよい。
【００６１】
また、前記実施形態では、支持部材として、上下一対の横材１２，１３と左右一対の縦材１４，１５とを四周枠組みした支持フレーム１１を採用したが、このような支持フレーム１１に限らず、上下の横材のうち少なくとも一方の横材を有して支持部材が構成されていればよい。ここで、前記実施形態では、支持フレーム１１の縦材１４，１５を左右のポスト５に固定したが、縦材１４，１５を備えずに支持部材が構成された場合には、横材の左右両端部を左右のポスト５に直接固定してもよいし、適宜なブラケット等を介してポストに固定してもよい。また、前記実施形態のような支持フレーム１１を採用する場合であっても、上下の横材１２，１３間に亘る縦方向の補助部材や、左右の縦材１４，１５間に亘る横方向の補助部材など、適宜な補助部材によって支持フレーム１１を補強してもよい。
【００６２】
また、前記実施形態では、四周枠組みされた支持フレーム１１の上下の横材１２，１３と左右の縦材１４，１５に筐体３０の延出片３４がビス３５によって固定されていたが、ビス３５により固定される固定部が縦材に設けられず、横材のみに設けられていてもよい。さらに、固定部は上下の横材の両方に設けられるものに限らず、上下いずれか一方の横材に設けられていてもよい。このように固定部が縦材に設けられずに横材のみに設けられていれば、横材の長さ（柱材の間隔）に関わらず、それ未満の幅寸法を有した機能部品あるいは筐体を固定する際に、壁開口部を必要以上に大きくしなくて済むことから、機能部品や筐体の側方に開口が形成されず、その開口を塞ぐための部材を省略することができる。
【００６３】
また、前記実施形態では、支持部材である支持フレーム１１が固定される柱材として、浴槽２の短辺２Ａ両端部から立設された左右一対のポスト５（コーナーポスト５Ａ及び平ポスト５Ｂ）を用いた構成を例示したが、支持部材が固定される柱材としては、浴槽の短辺両端部のポスト５に限らず、浴槽２の長辺に沿った立上部４から立設されたポストでもよいし、洗い場床３の立上部４から立設されたポストでもよい。さらに、浴室ユニット１のサイズによっては、浴槽２の短辺に沿った中間部からポストが立設される場合があり、このポストに支持フレーム１１が固定されてもよい。
【００６４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６５】
１                浴室ユニット
５，５Ａ，５Ｂ    ポスト（柱材）
６，６１，６２    壁パネル
１１              支持フレーム（支持部材）
１０              機能部品の取付構造
１２，１３        横材
２０              化粧フレーム（被覆部材）
６３              壁開口部
６４              下端縁（上辺）
６５              上端縁（下辺）
１２１，１３１    見込み面部
１２３，１３３    第二延出面部（延出面部）
Ｔ                映像表示部（機能部品）
【図１】
0006340260.tif 000002
【図２】
0006340260.tif 000003
【図３】
0006340260.tif 000004
【図４】
0006340260.tif 000005
【図５】
0006340260.tif 000006
【図６】
0006340260.tif 000007
【図７】
0006340260.tif 000008
【図８】
0006340260.tif 000009
【図９】
0006340260.tif 000010